(57)【要約】  【課題】  特に支柱の高い位置にある連結受部に取り付け作業を容易にすることができる先行手摺りを提供する。  【解決手段】  軸方向に沿って所定間隔に設けられた連結受部８３を有し、所定間隔で立設された支柱８１の間に、略水平方向に架設される水平部材２と斜め方向に架設される筋交４とが、前記連結受部に上方から差し込まれる差込部８を備えた連結部材３を介して連結された先行手摺り１である。前記連結部材３は、前記差込部８の上方位置に設けられ、前記水平部材２の両端近傍と回動可能に枢着する水平部材取付部９と、前記水平部材取付部９の下方位置に前記差込部８に近接して設けられ、前記斜材４を回動可能に枢着する斜材取付部１０とを備え、前記水平部材２との連結軸先端２ｂ側が前記差込部８に当接可能に構成されている。【選択図】  図２
2018009350.tif 000002
【特許請求の範囲】
【請求項１】
軸方向に沿って所定間隔に設けられた連結受部を有し、所定間隔で立設された支柱の間に架設される、略水平方向に伸びる水平部材と斜め方向に伸びる斜材とが、前記連結受部に上方から差し込まれる差込部を備えた連結部材を介して連結された先行手摺りであって、
前記連結部材は、
前記差込部の上方位置に設けられ、前記水平部材の両端近傍と回動可能に枢着する水平部材取付部と、
前記水平部材取付部下方位置に前記差込部に近接して設けられ、前記斜材を回動可能に枢着する斜材取付部とを備え、
前記水平部材との連結軸先端側が前記差込部上縁に当接可能に構成されていることを特徴とする、先行手摺り。
【請求項２】
前記連結部材は、前記差込部、水平部材取付部及び斜材取付部が一体に構成されていることを特徴とする、請求項１に記載の先行手摺り。
【請求項３】
前記水平部材取付部は、前記差込部の上方に前記水平部材を左右から挟むように設けられた連結片で構成されていることを特徴とする、請求項１又は２に記載の先行手摺り。
【請求項４】
前記水平部材取付部は、前記斜材取付部の内側縁端よりも内側へ突出した位置において前記水平部材と枢着することを特徴とする、請求項１から３のいずれか１つに記載の先行手摺り。
【発明の詳細な説明】
【技術分野】
【０００１】
本発明は、建築現場に架設される仮設足場における手摺りであり、特に、水平部材の両端に、足場を補強するための筋交を備えている先行手摺りに関するものである。
【背景技術】
【０００２】
従来から建築現場などでは、パイプ材等で構成された支柱を枠状に組み上げて作業用の仮設足場を設けるにあたり、横方向あるいは斜め方向からの荷重に耐えうるように筋交を備えて先行手摺りを設ける場合がある。
【０００３】
この先行手摺りとしては、下記に示す特許文献１から５にそれぞれ示すように、水平部材と筋交の連結部分近傍の先端に、支柱の連結受部と連結する連結部材が設けられており、さらに、水平部材の両端側の連結部材と筋交が回動自在に設けられる。連結部材は、支柱の連結受部に設けられた挿入穴に挿入される差込部と、当該差込部と水平部材及び筋交を連結する連結部とを備えている。
【０００４】
この先行手摺りは、連結部材の差込部を連結受部の挿入孔に上側から差し込み、隣り合う支柱の連結受部間に水平部材を連結した後、さらに水平部材の両端に設けられている筋交の先端を別の連結受部に固定することで取り付けられる。よって、支柱への取り付け時においては、連結部材の差込部と水平部材とがなす角度は、略９０度となっている。
【０００５】
ところで、連結部材は、それぞれ種々の構成を有しており、水平部材と連結部材との連結構造も、先行手摺り独自の構成を有している。これらは大別すると、水平部材と差込部とが固定されるものと、差込部に対して水平部材が回動自在となるように設けられているものとに区別される。
【０００６】
前者としては、例えば、特許文献１（特開２０１２−１９７６０９号公報）、特許文献２（特開２０１２−９７５９６号公報）、特許文献３（特開２０１５−６８０３２号公報）などは、水平部材と差込部とが固定された構成であり、水平部材と差込部とが回動可能に構成されている後者の例としては、特許文献４（特開２０１４−８０７９９号公報）が例示できる。また、特許文献５（特開２０１３−６４３２１号公報）は、水平部材の両端側で異なる構成であり、一方が固定され、他方が回動可能に構成された構成を有している。
【先行技術文献】
【特許文献】
【０００７】
【特許文献１】特開２０１２−１９７６０９公報
【特許文献２】特開２０１２−９７５９６公報
【特許文献３】特開２０１５−６８０３２号公報
【特許文献４】特開２０１４−８０７９９号公報
【特許文献５】特開２０１３−６４３２１号公報
【発明の概要】
【発明が解決しようとする課題】
【０００８】
しかし、これらの種々の構成を有する先行手摺りは、下記に示すようにそれぞれ取り付け作業が煩雑で手間がかかるという問題があった。例えば、特許文献１〜３に示す、水平部材と差込部が固定されている構造のものは、水平部材を取り付け時の姿勢である水平に維持した上で、２つの支柱に設けられた連結受部に両端側の差込部を同時に挿入して水平部材を取り付ける必要があった。このため、下側から順に組み立てられる架設足場において、下側から水平部材を水平に維持させて、かつ両端の差込部を高い位置にある連結受部の挿入孔に挿入する作業が困難であり、取り付け作業が煩雑であるという問題があった。
【０００９】
また、特許文献４に示す、差込部と水平部材が回動可能に構成されているものは、水平部材の両端に位置する差込部が鉛直方向となるようにして、連結受部挿入孔に挿入する作業を両端側で独立して行なうことができるため、水平部材を下側から取り付ける作業がやりやすいという効果がある。しかし、この構成においては、水平部材と斜材とが同じ枢着軸で支持されているため、差込部を鉛直方向に向けた姿勢を保つことが難しく、挿入作業が煩雑であるという問題があった。特に、水平部材の一方が連結受部に挿入された状態で、他端側を高い位置に持ち上げ、差込部を挿入する作業において、差込部を鉛直姿勢に維持することは困難であった。
【００１０】
さらに、特許文献５に示す先行手摺りは、最初に可動側の差込部を支柱に固定した後、固定側の差込部を支柱連結受部に挿入するため、差込部の姿勢維持の問題は解消される。しかし、決められた差込部から取り付け作業を行う必要があるため、予め左右の先行手摺りの方向を確認する必要があり、手間であった。
【００１１】
したがって、本発明が解決しようとする技術的課題は、特に支柱の高い位置にある連結受部に取り付け作業を容易にすることができる先行手摺りを提供することである。
【課題を解決するための手段】
【００１２】
本発明は、上記技術的課題を解決するために、以下の構成の先行手摺りを提供する。
【００１３】
本発明の第１態様によれば、軸方向に沿って所定間隔に設けられた連結受部を有し、所定間隔で立設された支柱の間に架設される、略水平方向に伸びる水平部材と斜め方向に伸びる斜材とが、前記連結受部に上方から差し込まれる差込部を備えた連結部材を介して連結された先行手摺りであって、
前記連結部材は、
前記差込部の上方位置に設けられ、前記水平部材の両端近傍と回動可能に枢着する水平部材取付部と、
前記水平部材取付部下方位置に前記差込部に近接して設けられ、前記斜材を回動可能に枢着する斜材取付部とを備え、
前記水平部材との連結軸先端側が前記差込部上縁に当接可能に構成されていることを特徴とする、先行手摺り先行手摺りを提供する。
【００１４】
本発明の第２態様によれば、前記連結部材は、前記差込部、水平部材取付部及び斜材取付部が一体に構成されていることを特徴とする、第１態様の先行手摺りを提供する。
【００１５】
本発明の第３態様によれば、前記水平部材取付部は、前記差込部の上方に前記水平部材を左右から挟むように設けられた連結片で構成されていることを特徴とする、第１又は第２態様の先行手摺りを提供する。
【００１６】
本発明の第４態様によれば、前記水平部材取付部は、前記斜材取付部の内側縁端よりも内側へ突出した位置において前記水平部材と枢着することを特徴とする、第１から第３態様のいずれか１つの先行手摺りを提供する。
【発明の効果】
【００１７】
本発明によれば、連結部材が、支柱間に架設される２つの部材、すなわち水平部材と斜材とを異なる位置で回動可能に連結するため、水平部材と斜材の連結軸と２つの部材とで、連結部材の方向を一律に決定することができる。すなわち、最初に連結受け部に挿入されるう一方の連結部材は、当該連結部材に連結されている水平部材と斜材の長手方向が揃うように重ねて支持することで、水平部材と斜材及び水平部材取付部と斜材取付部との連結軸間で３点支点を確保することができ、連結部材に設けられている差込部の方向を略鉛直方向に維持することができる。
【００１８】
一方、他方の連結受け部については、水平部材が支柱に連結しているため、高い位置には他方の斜材を用いて連結受部に差し込むことになるが、水平部材の先端側が差込部の上縁に当接するように構成されているため、差込部と水平部材に対して規制され、略９０度となる。したがって、他方の斜材を用いて下側から連結部材を支持したとしても、差込部の角度を一定に維持し、支柱への連結操作を容易にすることができる。
【図面の簡単な説明】
【００１９】
【図１】本発明の実施形態にかかる先行手摺りの構成を示す正面図である。
【図２】図１の先行手摺りの連結部材の構成を示す分解斜視図である。である。
【図３】図１の先行手摺りの連結部材の支柱への取り付け状態を示す斜視図である。
【図４】図１の先行手摺りの斜材取付部材の支柱への取り付け状態を示す斜視図である。
【図５】図１の先行手摺りの架設作業の工程を示す図である。である。
【図６】図５の状態にある先行手摺りの第１連結部材の近傍部分の拡大図である。
【図７】図１の先行手摺りの架設作業の工程を示す図であり、図５に続く状態を示している。
【図８】図７の状態にある先行手摺りの第１連結部材の近傍部分の拡大図である。
【図９】図１の先行手摺りの架設作業の工程を示す図であり、図７に続く状態を示している。
【図１０】図１の先行手摺りの架設作業の工程を示す図であり、図９に続く状態を示している。
【図１１】図１の先行手摺りの架設作業の工程を示す図であり、図１０に続く状態を示している。
【発明を実施するための形態】
【００２０】
以下、本発明の一実施形態に係る先行手摺りについて、図面を参照しながら説明する。
【００２１】
図１は、本発明の実施形態に係る先行手摺りの構成を示す正面図である。本実施形態にかかる先行手摺り１は、図１に示すように仮設足場８０に取り付けて用いられる。
【００２２】
仮設足場８０は、地盤に格子状に配置され鉛直方向に延びるように立設された複数の支柱８１を備えている。支柱８１は、水平（横）方向に所定間隔をもって格子状に配列されている。各支柱８１は、断面円形のパイプからなる複数の支柱構成部材８２を軸方向に継ぎ足して所定の長さとする。各支柱構成部材８２の外周部には、連結孔を備えたフランジ状の板部材が設けられ、連結受部８３を構成する。これら連結受部８３のうち、いずれの支柱構成部材８２も同じ位置となるように設けられ、対向する支柱の連結受部８３は同一高さに形成される。なお、これら連結受部８３は、継ぎ足しにより複数の支柱構成部材８２を連接した状態で、下側の支柱構成部材８２の上端の組と、上側の支柱構成部材８２の下端の組との間隔も、同一間隔になるように構成されている。
【００２３】
また、足場は、前後方向に隣接する支柱８１は、水平方向に伸びる連結パイプ（図示無し）で連結されている。この連結パイプは、支柱８１と同様のパイプで構成され、両端に設けられているクサビ状の連結部（図示なし）が支柱８１の対向する連結受部８３に連結される。左右方向に連続する２つの連結パイプには、踏板８４が架設される。踏板は、左右方向の両端に連結パイプと係止するフックが設けられており、当該フックを隣り合う連結パイプに係止することで架設される。
【００２４】
本発明の実施形態にかかる先行手摺り１は、図１に示すように、水平方向に延びるように配設される水平部材２と、該水平部材２の両端に配設された一対の第１連結部材３と、各第１連結部材３に配設された筋交を構成する２本の斜材４と、各斜材４の自由端に配設された第２連結部材５と、を備えている。
【００２５】
水平部材２は、架設状態で手摺としての役割をなすもので、支柱より細径の支柱８１の間隔に応じた長さパイプ材で構成される。なお、水平部材２は、例えば、径の異なるパイプ材を入れ子式に連結するなどの方法により、全長を変更できるように構成してもよい。また、これに伴い、斜材４についても全長を変更できるように構成してもよい。
【００２６】
第１連結部材３は、本発明の連結部材の一例に相当するものであり、支柱８１の連結受部８３に対して上方から差し込んで支柱に連結されるもので、水平部材２の両端に回動可能に配設されている。第１連結部材３は、図２に示すように、対称形状をなす一対の側板部６ａ，６ｂと、これら側板部６ａ，６ｂの一端上部を連結する連結板部７とを備え、金属板を打ち抜いて屈曲加工を施すことにより形成される。
【００２７】
第１連結部材３の側板部６ａ，６ｂは、機能的に、差込部８、水平部材取付部９、斜材取付部１０に大別することができる。側板部６ａ，６ｂ水平部材取付部９を除く部分は、外縁がほぼ矩形に構成され、下縁に開口する切り欠き８ｂを備えた略コの字状に構成されている。
【００２８】
差込部８は、支柱８１の連結受部８３の挿入孔８６に挿入されるものであり、一端側の下部の両域が該当する。差込部８は、図２，図３に示すように、先端が細くなるようにくさび形に構成されており、連結受部８３の挿入孔８３ａに挿入されて、第１連結部材３連結受部８３に固定可能な形状に構成されている。このため、差込部８と斜材取付部１０の間の切り欠き８ｂ(図６参照)の幅８Ｂは、連結受部８３の挿入部周縁８３ｂの幅と略同寸法であり、切り欠き８ｂを挟む差込部８と斜材取付部１０によって、第１連結部材３が連結受部８３に固定される。
【００２９】
水平部材取付部９は、水平部材２を外側から挟むことができるように、側板部６ａ，６ｂの上部位置に存在し、外側に広がるように突出した突出部分である。この水平部材取付部９には、水平部材２の端部近傍に設けられた貫通孔２ａに対応して水平部材取付孔９ａが設けられている。水平部材取付部９の間に、水平部材２を配置し、水平部材取付孔９ａと貫通孔２ａとをビス１００等で回動自在に配設する。
【００３０】
水平部材取付部９の水平部材取付孔９ａは、水平部材２の半径寸法に応じた距離分で、側板部６ａ，６ｂの内側縁端３ａよりも内側へ突出した位置に設けられており、これにより、水平部材２の回転可能範囲を広く確保し、例えば、水平部材２が内側縁端３ａに沿った方向となる位置まで回動させることができる。
【００３１】
また、水平部材２の貫通孔２ａは、水平部材２の端部から若干中央側の位置に設けられる。貫通孔２ａよりも端部側に位置する先端部２ｂの長さ寸法は特に限定されるものではないが、数ｃｍ程度であればよい。図３に示すように、貫通孔２ａよりも端部側に位置する先端部２ｂは、第１連結部材３との取り付け時において、水平部材取付部９内に収容される。これにより、水平部材当該２が、略水平位置にあるとき、先端部２ｂが差込部８の上端側に当接することになり、水平部材２の回動範囲が制限され、水平部材２と差し込み部８とが所定角度以上に広がることが防止される。
【００３２】
斜材取付部１０は、切り欠き８ｂを挟んで差込部８に対向して設けられ、下側領域に斜材取付孔１０ａが設けられている。斜材取付孔１０ａは、水平部材取付孔９ａよりも下側かつ差込部に近接して設けられる。斜材取付部１０は、斜材４の先端を挟むようにしてビス１０１などで回動自在に配設される。
【００３３】
斜材４は、図２、図３に示すように、第１連結部材３の側板部６ａ，６ｂ間に配設可能な外径のパイプからなる。この斜材４は、上端を第１連結部材３に回動可能に連結した状態で、第２連結部材５を連結した支柱８１の連結受部８３の下方の連結受部８３に連結させることができる長さ寸法で形成されている。斜材４の上端（一端）は、平坦にプレス加工され、第１連結部材３に対して回動可能に配設するための貫通孔４ａが径方向に貫通するように設けられている。斜材４の上端が平坦に構成されているため、斜材４は、第１連結部材３に対して、横方向へ多少の遊びが存在し、斜材取付孔１０ａに対して、斜材４の下端側を左右方向へ移動させることができる。
【００３４】
また、斜材４には、図１に示すように、架設状態で互いに交差する略中央に、幅方向の寸法を小さくした縦長の断面楕円形状をなす扁平部４ｂが設けられている。さらに、斜材４の自由端である下端には貫通孔が設けられており、第２連結部材５が回動自在に取り付けられる。なお、第２連結部材５と斜材４は、溶接などの手段により固定されていてもよい。
【００３５】
第２連結部材５は、斜材４の端部を支柱８１の連結受部８３に連結するためのもので、連結受部８３に嵌合する嵌合部１１と、連結受部８３の挿入孔８３ａに挿入されるくさび部材１２とを備えている。なお、２つの斜材に取り付けられている第２連結部材５は同一のもので、反転した状態で斜材４に固定される。
【００３６】
嵌合部１１は、金属板を打ち抜いて屈曲加工を施すことにより形成される外側板１３と外側板１３の内部に配置され、くさび部材１２を取り付けるくさび支持部材１４とを備える。外側板１３は、連結受部８３に側方から挿入可能な切り欠き１５を備えたコの字状の部材である。外側板１３の側方部分には、斜材４に連結するための斜材取り付け孔１３ａが設けられており、斜材４と回動可能に取り付けられている。なお、上記のように両者は固定されていてもよい。
【００３７】
くさび支持部材１４は、外側板１３からくさび部材が脱落しないように支持するための部材であり、くさび部材１２の両側を挟むような状態で外側板１３に取り付けられることにより、くさび部材１２を支持する。
【００３８】
くさび部材１２は、略三角形状をなす金属板からなり、その肉厚は、くさび固定部１４より薄いものである。そして、このくさび部材１２は、抜止部１２ａが設けられている。この抜止部１２ａを形成した下端は、くさび支持部材１４の幅より広く、連結受部８３の挿入孔８３ａの幅より狭くなるように構成している。
【００３９】
嵌合部１１は、外側板１３の切り欠き１５を連結受部８３の側方に配置し、側方から連結受部８３を切り欠き１５内に収容する。くさび部材１２は、切り欠き１５に配置された連結受部８３の挿入孔８３ａに挿入され、第２連結部材５を支柱に固定する。
【００４０】
このように構成した先行手摺り１は、足場の第１階層の構築後に、上側の第２階層以上を構築する際の先行手摺として好適に使用される。次に、この先行手摺り１を先行手摺として使用する際の架設作業について説明する。なお、以下の図においては、水平部材２の両端に設けられている第１連結部材３及び斜材４について、左右の区別をするために、第１連結部材３、斜材４、第２連結部材５については符号にＡ，Ｂの枝番を付す場合がある。
【００４１】
まず、架設前の先行手摺り１は、図５、図６に示すように、水平部材２に対して一対の斜材４Ａが平行に延びるように、第１連結部材３Ａに対して水平部材２を９０度回動させて、該水平部材２を斜材４Ａに対して重ね合わせる。なお、水平部材２の両端に付されている第１連結部材３等の構成は、両側で共通するため、水平部材２のどちらの第１連結部材３を先に支柱８１に固定してもよく、左右の選別を必要としない。
【００４２】
上記のように、第１連結部材３の水平部材２の水平部材取付孔９ａは、側板部６ａ，６ｂの内側縁端４ａよりも内側へ突出した位置に設けられているため、回転可能範囲を広く確保することができ、水平部材２が差込部８と略平行になるまで回動することができる。また、斜材取付孔１０ａは、水平部材取付孔９ａよりも下側かつ差込部に近接して設けられているため、水平部材２と斜材４とを束ねるように把持すると、斜材取付孔１０ａ、水平部材取付孔９ａ、水平部材２と斜材４との交わり位置間の距離が一律に決定され、第１連結部材３の向き、具体的には、水平部材２に対する第１連結部材３との角度は固定される。したがって、支柱に固定する側の第１連結部材３Ａの差込部８を連結受部８３に挿入するにあたり、第１連結部材３Ａの向きが固定され、差込部８のガタツキがないことから、差し込み操作を容易にすることができる。
【００４３】
この状態で、図示のように、連結受部８３に対して、第１連結部材３Ａの差込部８を上方から差し込んで連結する。
【００４４】
ついで、図７に示すように、連結受部８３に固定された第１連結部材３Ａの水平部材取付孔９ａを中心として水平部材２の他端側を上向きに回動させる。このとき、固定されていない側の第１連結部材３Ｂに連結している斜材４Ｂを用いて、水平部材２の他端側を上向きに操作する。
【００４５】
この際、また、斜材４Ｂを用いて水平部材２を上向きに持ち上げるため、第１連結部材３Ｂは、差込部８と水平部材との角度が大きくなる向きに回動する。このとき、本実施形態では、図８に示すように、水平部材２の先端部２ｂが差込部８の上端側に当接するため、水平部材２に対して第１連結部材３Ｂの差込部８が直交する位置で維持される。このため、第１連結部材３Ｂの差し込み操作時に、第１連結部材３Ｂが不安定で向きが定まらないという問題がない。
【００４６】
また、図９に示すように、第１連結部材３Ｂを連結受部８３に挿入するためには、当該連結受部８３の上方に第１連結部材３Ｂを位置させる必要があり、このとき、第１連結部材３Ｂと水平部材２は９０度より小さい角度をなすこととなる。しかし、この場合でも、第１連結部材３Ｂに対する水平部材２の回動範囲に含まれるため、図９に示すように、連結受部８３の第１連結部材３Ｂを配置させることができる。
【００４７】
その後、第１連結部材３Ｂに配設された斜材４Ｂを把持し、図１０に示すように、隣接する支柱８１の連結受部８３の上方に第１連結部材３Ｂを位置させ、該第１連結部材３Ｂの差込部８を連結受部８３に上方から差し込んで連結する。
【００４８】
この際、本実施形態では、差込部８が水平部材２に対して直交方向となる状態を維持することができ、差込部８を連結受部８３に対して簡単に位置決めして差し込むことができる。
【００４９】
このようにして、図１０に示すように、一対の第１連結部材３Ａ，３Ｂを隣接する支柱８１の連結受部８３に連結すると、続いて図１１に示すように、斜材４Ａ，４Ｂを逆側の支柱８１において、第１連結部材３を連結した連結受部８３の下側に位置する連結受部８３に向けて回動させる。そして、第２連結部材５のくさび部材１２を上向きに引き上げた状態で、嵌合部１１を連結受部８３に嵌合させた後、くさび部材１２を下向きに押し下げて、第２連結部材５を固定する。
【００５０】
これにより、図２に示すように、先行手摺り１を一対の支柱８１間に架設することができる。
【００５１】
なお、このようにして組み付けた先行手摺り１を分解する際には、架設作業とは逆順で、まず、第２連結部材５のくさび部材１２を下方からハンマーなどで叩き、くさび部材１２を上向きに移動させて嵌合部１１を連結受部８３から離脱させる。この際、左右の第２連結部材５はどちらを先に外してもよい。その後、斜材４Ａを垂直に延びるように回動させる。これにより、斜材４Ａを持って第１連結部材３を持ち上げるように操作することにより、第１連結部材３が連結受部８３の下部から離反し、第１連結部材３を離脱可能な状態とすることができる。
【００５２】
なお、本発明は上記実施形態に限定されるものではなく、その他種々の態様で実施可能である。例えば、支柱の連結受部の構成は、フランジ状のものに限定されるものではなく、各種形状のものを用いることができる。また、これに応じて、第１連結部材及び第２連結部材の差込部の形状は適宜決定すればよい。
【符号の説明】
【００５３】
１  先行手摺り
２  水平部材
２ａ  貫通孔
２ｂ  先端部
３，３Ａ，３Ｂ  第１連結部材
３ａ  内側縁端
４，４Ａ，４Ｂ  斜材
４ａ  貫通孔
４ｂ  扁平部
５，５Ａ，５Ｂ  第２連結部材
６ａ，６ｂ  側板部
７  連結板部
８  差込部
８ｂ  切り欠き
９  水平部材取付部
９ａ  水平部材取付孔
１０  斜材取付部
１０ａ  斜材取付孔
１１  嵌合部
１２  くさび部材
１２ａ  抜止部
１３  外側板
１４  くさび支持部材
１５  切り欠き
８０  仮設足場
８１  支柱
８２  支柱構成部材
８３  連結受部
８３ａ  挿入孔
８３ｂ  挿入部周縁
１００，１０１  ビス
【図１】
2018009350.tif 000003
【図２】
2018009350.tif 000004
【図３】
2018009350.tif 000005
【図４】
2018009350.tif 000006
【図５】
2018009350.tif 000007
【図６】
2018009350.tif 000008
【図７】
2018009350.tif 000009
【図８】
2018009350.tif 000010
【図９】
2018009350.tif 000011
【図１０】
2018009350.tif 000012
【図１１】
2018009350.tif 000013